(57)【要約】【課題】高信頼性の発光モジュール及び照明器具を提供する。【解決手段】実施形態によれば、筐体と、発光パネルと、樹脂と、を含む発光モジュールが提供される。前記筐体は、第１板および前記第１板と離間した第２板を含む。前記筐体の少なくとも一部は、透光性である。前記発光パネルは、前記第１板および前記第２板の間に位置するように前記筐体内部に収容される。前記発行パネルは、発光層を含む有機層を含む。前記樹脂は、前記発光パネルと前記第１板との間、および、前記発光パネルと前記第２板との間に設けられ、光透過性でかつ前記筐体よりも柔らかい。【選択図】図１
2015065042.tif 000002
【特許請求の範囲】
【請求項１】
第１板および前記第１板と離間した第２板を含み、少なくとも一部が透光性の筐体と、
前記第１板および前記第２板の間に位置するように前記筐体内部に収容され、発光層を含む有機層を含む発光パネルと、
前記発光パネルと前記第１板との間、および、前記発光パネルと前記第２板との間に設けられ、光透過性でかつ前記筐体よりも柔らかい樹脂と、
を備えた発光モジュール。
【請求項２】
表面に凹凸を有し、前記発光層からの光を外部に取り出す光取出しフィルムをさらに備え、
前記樹脂は、前記筐体の開口から前記発光パネルを覆うように充填され、
前記光取出しフィルムは、前記樹脂と前記凹凸とが接触しない位置に設けられる請求項１記載の発光モジュール。
【請求項３】
前記第１板は、第１面と、前記第１面と前記発光パネルとの間に設けられた第２面と、を有し、
前記第２板は、第３面と、前記第３面と前記発光パネルとの間に設けられた第４面と、を有し、
前記第１面から前記第２面へ向かって第１板を通過する光の少なくとも一部は、前記発光パネルを通過し、前記第４面から前記第３面へ向かって前記第２板を通過する請求項１または２に記載の発光モジュール。
【請求項４】
前記発光パネルは、光透過性の第１の電極と、複数の開口部を有する第２の電極と、をさらに含み、
前記有機層は、前記第１の電極と前記第２の電極との間に設けられている請求項３記載の発光モジュール。
【請求項５】
前記筐体に収容され、前記発光パネルに電流を供給する電源装置をさらに備えた請求項１〜４のいずれか１つに記載の発光モジュール。
【請求項６】
請求項１〜５のいずれか１つに記載の発光モジュールを備えた照明器具。
【発明の詳細な説明】
【技術分野】
【０００１】
本発明の実施形態は、発光モジュール及び照明器具に関する。
【背景技術】
【０００２】
例えば、ＯＬＥＤ（Organic Light Emitting Diode）を光源とする発光モジュール及び照明器具がある。このような発光モジュール及び照明器具において、信頼性を高くすることが望まれる。
【先行技術文献】
【特許文献】
【０００３】
【特許文献１】特開２０１３−１０１９７１号公報
【発明の概要】
【発明が解決しようとする課題】
【０００４】
本発明の実施形態は、高信頼性の発光モジュール及び照明器具を提供する。
【課題を解決するための手段】
【０００５】
本発明の実施形態によれば、筐体と、発光パネルと、樹脂と、を含む発光モジュールが提供される。前記筐体は、第１板および前記第１板と離間した第２板を含む。前記筐体の少なくとも一部は、透光性である。前記発光パネルは、前記第１板および前記第２板の間に位置するように前記筐体内部に収容される。前記発行パネルは、発光層を含む有機層を含む。前記樹脂は、前記発光パネルと前記第１板との間、および、前記発光パネルと前記第２板との間に設けられ、光透過性でかつ前記筐体よりも柔らかい。
【発明の効果】
【０００６】
本発明の実施形態によれば、高信頼性の発光モジュール及び照明器具が提供される。
【図面の簡単な説明】
【０００７】
【図１】図１（ａ）及び図１（ｂ）は、第１の実施形態に係る発光モジュールを示す模式図である。
【図２】第２の実施形態に係る発光モジュールを示す模式的断面図である。
【図３】第３の実施形態に係る発光モジュールを示す模式図である。
【図４】第４の実施形態に係る照明器具を示す模式的断面図である。
【発明を実施するための形態】
【０００８】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００９】
（第１の実施形態）  
図１（ａ）及び図１（ｂ）は、第１の実施形態に係る発光モジュールを例示する模式図である。  
図１（ａ）は、発光モジュール１５０を例示する模式的平面である。図１（ｂ）は、図１（ａ）のＡ１−Ａ２線断面を例示している。
【００１０】
図１（ａ）に表したように、発光モジュール１５０は、発光パネル１５と、樹脂８５と、筐体８０（モジュール外郭）と、を含む。  
発光パネル１５は、筐体８０に収容されている。筐体８０と発光パネル１５との間には、樹脂８５が設けられている。
【００１１】
図１（ｂ）に表したように、発光パネル１５には、基板２０、第１の電極２１、第２の電極２２、及び、有機層３０が設けられている。基板２０の上に、第２の電極２２が設けられている。第２の電極２２と基板２０との間に、第１の電極２１が設けられている。有機層３０は、第１の電極２１と第２の電極２２との間に設けられている。
【００１２】
基板２０の上に、透明封止部材２４が設けられている。基板２０と透明封止部材２４との間に、封止体２５が設けられている。封止体２５は、基板２０と透明封止部材２４との間の領域の周囲に連続して設けられている。
【００１３】
透明封止部材２４として、ガラス基板及び透明樹脂の少なくともいずれかが用いられる。封止体２５には、例えば、樹脂が用いられる。
【００１４】
有機層３０には、正孔輸送層３１と、発光層３２と、電子輸送層３３と、が設けられている。例えば、第１の電極２１の上に正孔輸送層３１が設けられている。正孔輸送層３１の上に発光層３２が設けられている。発光層３２の上に第２の電極２２が設けられている。例えば、第２の電極２２は、基板２０の表面の一部にも設けられる。第２の電極２２は、基板２０の表面から有機層３０の上面にかけて、基板２０の表面と有機層３０の上面との間の段差を覆うように連続して設けられる。
【００１５】
有機層３０の側面と第２の電極２２との間、及び、第１の電極２１の端部と第２の電極２２との間には、絶縁膜２６が設けられている。
【００１６】
基板２０は、光透過性である。基板２０は、例えば、透明基板である。例えば、基板２０として、ガラス基板が用いられる。基板２０は、透明樹脂基板でもよい。
【００１７】
第１の電極２１は、例えば、光透過性である。第１の電極２１は、例えば透明電極である。第１の電極２１には、例えば、ＩＴＯ（Indium Tin Oxide）、ＩＺＯ（Indium Zinc Oxide）または導電性高分子などが用いられる。
【００１８】
例えば、第２の電極２２の光透過率は、第１の電極２１の光透過率よりも低い。第２の電極２２は、例えば、非光透過性である。例えば、第２の電極２２には、銀（Ａｇ）膜またはアルミニウム（Ａｌ）膜などが用いられる。例えば、第２の電極２２の厚さは、３０ｎｍ以上である。
【００１９】
発光パネル１５においては、例えば、第２の電極２２から、電子輸送層３３を介して、発光層３２へ電子が注入される。例えば、第１の電極２１から、正孔輸送層３１を介して、発光層３２へ正孔が注入される。発光層３２において、注入された電子と正孔とが、再結合する。再結合の際に発生するエネルギーによって、発光層３２から光が放出される。
【００２０】
本明細書において、「透明」とは、発光層３２の発光光に対して透過性を有することを表す。「透明」とは、光透過率が１００％であることには限らない。例えば、波長５５０ｎｍにおける透過率が２０％以上、望ましくは３０％以上であることを意味する。発光層３２は、可視光を発光する。「透明」とは、リモートコントローラの送信信号や、人感センサの検知対象光などに対する透過性を有することも表す。例えば、「透明」とは、赤外線に対して透過性を有することも表す。
【００２１】
「不透明」とは、発光層３２から放出された光に対して遮光性または反射性を有することを表す。「不透明」とは、発光層３２から放出された光に対する透過率が０％であることには限らない。「不透明」とは、「透明」な領域よりも透過率が相対的に低い場合も表す。例えば、波長５５０ｎｍにおける透過率が２０％以下、望ましくは１５％以下であることを意味する。
【００２２】
この例では、第２の電極２２は、発光層３２から放出された光をほとんど透過させない厚さを有している。例えば、第２の電極２２は、光に対して高い反射性を有する。発光層３２から放出され、第２の電極２２側に向かう光は、第２の電極２２で反射して、透明電極である第１の電極２１を通過する。すなわち、発光パネル１５においては、発光層３２から放出された光は、透明基板である基板２０側から取り出される。
【００２３】
筐体８０には、接続部４３ａが設けられている。この例では、発光パネル１５の電源装置６１は、筐体８０の外部に設けられている。配線４３は、接続部４３ａを通り、発光パネル１５に接続されている。配線４３は、第１の電極２１及び第２の電極２２と接続されている。
【００２４】
筐体８０は、第１板８０ａと、第２板８０ｂと、を含む。第１板８０ａは、第２板８０ｂと離間している。透明封止部材２４と第１板８０ａとの間に基板２０が設けられている。例えば、第１板８０ａは、第２板８０ｂに対して平行である。
【００２５】
第１板８０ａから第２板８０ｂへ向かう方向をＺ軸方向とする。Ｚ軸方向に対して垂直な１つの方向をＸ軸方向とする。Ｚ軸方向に対して垂直であり、Ｘ軸方向に対して垂直な方向をＹ軸方向とする。
【００２６】
筐体８０の少なくとも一部は、光透過性である。例えば、第１板８０ａは光透過性である。筐体８０の第１板８０ａ以外の面は、光透過性であっても良い。例えば、発光層３２から放出された光は、第１板８０ａから取り出される。
【００２７】
筐体８０には、例えば、開口部８０ｅが設けられる。開口部８０ｅは、例えば、第１板８０ａと第２板８０ｂとの間に設けられる。この例では、筐体８０の側面に、開口部８０ｅが設けられている。例えば、筐体８０に、開口部８０ｅから発光パネル１５を収容する。その後、開口部８０ｅから樹脂８５が充填される。
【００２８】
基板２０は、例えば、第１主面２０ａと第２主面２０ｂとを有する。第２主面２０ｂは、第１主面２０ａと、第１板８０ａとの間に設けられる。例えば、第２主面２０ｂには、光取り出し部２０ｅが設けられる場合がある。例えば、基板２０の屈折率と樹脂８５の屈折率とには、差がある。この差によって、発光層３２から放出された光の一部が、第２主面２０ｂにおいて、反射される場合がある。発光パネル１５の光の取り出し効率が低下する場合がある。
【００２９】
光取り出し部２０ｅには、例えば、光取り出し技術が適用されている。光取り出し部２０ｅには、例えば、光取り出しフィルムが設けられている。例えば、光取り出しフィルムは、表面に凹凸が設けられたフィルムである。例えば、光取り出しフィルムには、透明な樹脂が用いられる。これにより、例えば、発光層３２から放出された光の第２主面２０ｂにおける反射が抑制される。光取り出しフィルム（例えば光取り出し部２０ｅ）は、発光パネル１５の内部に配置することができる。発光パネル１５の内部に配置することで、発光パネル１５の周囲に樹脂が付着しても、それによって光取り出しフィルムの凹凸が埋められ、光取出し効果が低下することはない。例えば、基板２０と第１の電極２１との間に、凹凸が基板２０側に向くようにして設けることができる。光取り出しフィルムとしては、拡散部材や屈折率調整部材を使用することもでき、その場合にも、基板２０と第１の電極２１との間に配置するのが望ましい。
【００３０】
筐体８０の光透過性の領域に、光取り出し部を設けても良い。この例では、光透過性である第１板８０ａに光取り出し部８１が設けられている。例えば、光取り出し部８１には、光取り出し技術が適用される。これにより、例えば、発光層３２から放出された光の第１板８０ａにおける反射が抑制される。例えば、発光モジュール１５０の光の取り出し効率を高くすることができる。
【００３１】
筐体８０には、例えば、アクリル、ポリカーボネート、及びガラスの少なくともいずれかが用いられる。
【００３２】
樹脂８５には、例えば、アクリル系の透明樹脂またはシリコン系の透明樹脂が用いられる。例えば、筐体８０に発光パネル１５を収容した後、筐体８０と発光パネル１５との間の空間に樹脂８５が充填される。例えば、硬化前の樹脂８５の粘度は、約１．０Ｐａ・ｓ（パスカル秒）である。例えば、充填された樹脂８５は、自然硬化によって固まる。例えば、硬化後の樹脂８５のデュロメータによる硬さはＡ２５である。例えば、筐体８０の硬さは、硬化後の樹脂８５の硬さよりも、硬い。すなわち、樹脂８５は、筐体８０よりも柔らかい。
【００３３】
例えば、基板２０や透明封止部材２４に、外部からの応力などによって、亀裂が生じる場合がある。発光パネル１５は、基板２０と透明封止部材２４とを、封止体２５によって、接着させて作製される。このため、発光パネル１５の中に、外部からの水分が侵入し、発光パネル１５の特性が低下する場合がある。
【００３４】
本実施形態に係る発光モジュール１５０においては、発光パネル１５は、筐体８０よりも柔らかい樹脂８５に覆われている。樹脂８５の周りには、樹脂８５よりも硬い筐体が設けられている。これにより、例えば、発光パネル１５に対して、樹脂８５は、緩衝材として機能する。外部からの応力などに対して、発光モジュール１５０の耐久性が高くできる。発光モジュール１５０においては、樹脂８５を設けることにより外部からの水分に対しての防水性が向上できる。
【００３５】
樹脂８５及び筐体８０によって、例えば、光取り出しフィルムが設けられた第２主面２０ｂを、外部から保護することができる。光取り出し技術が適用された光取り出し部２０ｅを外部から保護することができる。これにより、発光モジュール１５０の耐久性が高まる。
【００３６】
発光パネル１５から発生する熱によって、発光パネル１５の特性が劣化する場合がある。樹脂８５に空気よりも熱伝導率の高い樹脂を用いることで、発光パネル１５の放熱性を高めることができる。発光パネル１５の信頼性を高めることができる。
【００３７】
紫外線によって有機層３０の特性が劣化する場合がある。発光パネル１５の屋外での使用が困難である場合がある。発光パネル１５は、屋外での使用に向いていない場合がある。樹脂８５は、例えば、空気よりも紫外線の透過率の低い成分を含んでもよい。例えば、樹脂８５には、紫外線カット性を有する成分が添加される。例えば、樹脂８５には、ＵＶカット性を有する成分が添加される。これにより、発光モジュール１５０の紫外線に対する耐久性を高めることができる。発光モジュール１５０の耐候性を高めることができる。
【００３８】
すなわち、本実施形態によれば、ＯＬＥＤパネル内に光取出し技術を施したＯＬＥＤパネルを樹脂充填することで、光取出し効果を損なうことなく、防水性を向上させることができる。ＯＬＥＤパネルが樹脂充填で密封されることにより、ＯＬＥＤパネルは水分から遮断されるため、ＯＬＥＤパネルの長寿命化が図れる。充填樹脂がＵＶカット性を有することで、紫外線によるＯＬＥＤパネルの特性低下を抑制、パネル自身で発生する熱による特性低下を抑制することが出来る。
【００３９】
本実施形態に係る発光モジュール１５０においては、発光パネル１５の周りに、樹脂８５が設けられる。その周りに樹脂８５より硬い筐体８０を設けることで、高信頼性の発光モジュールが提供される。
【００４０】
（第２の実施形態）  
図２は、第２の実施形態に係る発光モジュールを例示する模式的断面図である。
図２に表したように、発光モジュール１５１は、発光パネル１６と、樹脂８５と、筐体８０と、を含む。
【００４１】
発光パネル１６は、筐体８０に収容されている。筐体８０と発光パネル１６との間には、樹脂８５が設けられている。第１板８０ａと発光パネル１６との間に、樹脂８５が設けられている。第２板８０ｂと透明封止部材２４との間に、樹脂８５が設けられている。
【００４２】
発光パネル１６の第２の電極２２には、非開口部２２ｆと複数の開口部２２ｅとが設けられている。例えば、開口部２２ｅは、Ｙ軸方向に延びる複数の線状である。開口部２２ｅの形状は、円形（扁平円も含む）、または、多角形状でも良く、任意である。
【００４３】
この例では、例えば、第１板８０ａ及び第２板８０ｂは、光透過性である。これ以外は、発光モジュール１５１の構成や材料などは、発光モジュール１５０と同様である。
【００４４】
第１板８０ａは、第１面８２ａと、第２面８２ｂと、を有する。第２面８２ｂは、第１面８２ａと発光パネル１６との間に設けられている。例えば、第１面８２ａは、第２面８２ｂに対して平行である。
【００４５】
第２板８０ｂは、第３面８２ｃと、第４面８２ｄと、を有する。第４面８２ｄは、第３面８２ｃと発光パネル１６との間に設けられている。例えば、第３面８２ｃは、第４面８２ｄに対して平行である。
【００４６】
例えば、第１面８２ａから第２面８２ｂへ向かって第１板８０ａを通過する光の一部は、発光パネル１６の開口部２２ｅが設けられた領域を通過する。発光パネル１６を通過した光の一部は、第４面８２ｄから第３面８２ｃへ向かって第２板８０ｂを通過する。
【００４７】
例えば、第３面８２ｃから第４面８２ｄへ向かって第２板８０ｂを通過する光の一部は、発光パネル１６の開口部２２ｅが設けられた領域を通過する。発光パネル１６を通過した光の一部は、第２面８２ｂから第１面８２ａへ向かって第１板８０ａを通過する。
【００４８】
例えば、第２の電極２２の非開口部２２ｆと、第１の電極２１とで挟まれた領域から光が放出される。第１の電極２１と非開口部２２ｆとの間から放出された光の一部は、第１の電極２１側へ進み、基板２０側に取り出される。
【００４９】
第１の電極２１と非開口部２２ｆとの間から放出された光の一部は、第２の電極２２側へ進み、非開口部２２ｆで反射する。反射した光は、基板２０側に取り出される。
【００５０】
第１の電極２１と非開口部２２ｆとの間から放出された光の一部は、第２の電極２２側へ進み、開口部２２ｅを通過する。開口部２２ｅを通過した光は、透明封止部材２４側に取り出される。
【００５１】
発光層３２から放出され、基板２０を通過する光は、例えば、第１板８０ａから取り出される。発光層３２から放出され、透明封止部材２４を通過する光は、例えば、第２板８０ｂから取り出される。
【００５２】
すなわち、発光パネル１６は、両面から光を取り出すことができる発光パネルである。発光モジュール１５１は、両面から光を取り出すことができる発光モジュールである。
【００５３】
本実施形態に係る発光モジュール１５１においては、発光パネル１６の周りに、樹脂８５を設けられる。その周りに樹脂８５より硬い筐体８０が設けられている。これにより、例えば、光が取り出される基板２０側、及び、光が取り出される透明封止部材２４側、の両面を保護することができる。本実施形態によれば、高信頼性の発光モジュールが提供される。
【００５４】
（第３の実施形態）  
図３は、第３の実施形態に係る発光モジュールを例示する模式図である。  
図３は、発光モジュール１５１の模式的平面図である。図３に表したように、発光モジュール１５１は、発光パネル１５と、樹脂８５と、電源装置６１と、筐体８０と、を含む。
【００５５】
発光パネル１５及び電源装置６１は、筐体８０に収容されている。筐体８０と発光パネル１５との間、及び、筐体８０と電源装置６１との間には、樹脂８５が設けられている。
【００５６】
電源装置６１は、発光パネル１５と電気的に接続されている。電源装置６１から、発光パネル１５へ電流が供給される。電源装置６１により、発光パネル１５が駆動（及び制御）される。樹脂８５及び筐体８０によって、発光パネル１５及び電源装置６１が保護される。本実施形態によれば、高信頼性の発光モジュールが提供される。
【００５７】
（第４の実施形態）  
図４は、第４の実施形態に係る照明器具を例示する模式的断面図である。  
照明器具２２１は、例えば、発光モジュール１５１と、器具本体４０と、を含む。
【００５８】
例えば、器具本体４０は、発光モジュール１５１の第２板８０ｂの上に設けられる。器具本体４０は、発光モジュール１５１を保持する。
【００５９】
この例では、発光モジュール１５１には、Ｘ−Ｙ平面に投影したときに、器具本体４０と重ならない領域が設けられている。これにより、例えば、第１板８０ａ側及び第２板８０ｂ側の両側から光を取り出すことができる。本実施形態によれば、高信頼性の照明器具が提供される。
【００６０】
本発明の実施形態によれば、高信頼性の発光モジュール及び照明器具が提供される。
【００６１】
なお、本願明細書において、「垂直」及び「平行」は、厳密な垂直及び厳密な平行だけではなく、例えば製造工程におけるばらつきなどを含むものであり、実質的に垂直及び実質的に平行であれば良い。
【００６２】
以上、具体例を参照しつつ、本発明の実施の形態について説明した。しかし、本発明は、これらの具体例に限定されるものではない。例えば、筐体、樹脂、発光層を含む有機層、電源装置及び器具本体などの各要素の具体的な構成に関しては、当業者が公知の範囲から適宜選択することにより本発明を同様に実施し、同様の効果を得ることができる限り、本発明の範囲に包含される。
【００６３】
また、各具体例のいずれか２つ以上の要素を技術的に可能な範囲で組み合わせたものも、本発明の要旨を包含する限り本発明の範囲に含まれる。
【００６４】
その他、本発明の実施の形態として上述した発光モジュール及び照明器具を基にして、当業者が適宜設計変更して実施し得る全ての発光モジュール及び照明器具も、本発明の要旨を包含する限り、本発明の範囲に属する。
その他、本発明の思想の範疇において、当業者であれば、各種の変更例及び修正例に想到し得るものであり、それら変更例及び修正例についても本発明の範囲に属するものと了解される。
【００６５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１５…発光パネル、  １６…発光パネル、  ２０…基板、  ２０ａ…第１主面、  ２０ｂ…第２主面、  ２０ｅ…光取り出し部、  ２１…第１の電極、  ２２…第２の電極、  ２２ｅ…開口部、  ２２ｆ…非開口部、  ２４…透明封止部材、  ２５…封止体、  ２６…絶縁膜、  ３０…有機層、  ３１…正孔輸送層、  ３２…発光層、  ３３…電子輸送層、  ４０…器具本体、  ４３…配線、  ４３ａ…接続部、  ６１…電源装置、  ８０…筐体、  ８０ａ…第１板、  ８０ｂ…第２板、  ８０ｅ…開口部、  ８１…光取り出し部、  ８２ａ…第１面、  ８２ｂ…第２面、  ８２ｃ…第３面、  ８２ｄ…第４面、  ８５…樹脂、  １５０、１５１…発光モジュール、  ２２１…照明器具
【図１】
2015065042.tif 000003
【図２】
2015065042.tif 000004
【図３】
2015065042.tif 000005
【図４】
2015065042.tif 000006